(57)【要約】【課題】消毒モードで入浴用筐体内を消毒した後に入浴者を収容して入浴させる場合であっても、入浴者に消毒液がかかることのないシャワー入浴装置を提供すること。【解決手段】入浴者Ａの身体を内部に収容する入浴用筐体２と、入浴用筐体内に湯水を噴出するシャワー手段９７ａ、９７ｂ、９７ｄと、シャワー手段から噴出させる湯水に消毒液を混入させる消毒液混入手段ＴＰ２、ＴＰ３と、シャワー手段及び混入手段を制御する制御部１０とを備え、制御部の制御により、湯水に消毒液を混入させてシャワー手段から噴出する消毒モードでの運転終了後には必ず連続してシャワー手段から湯水のみを噴出する通常モードで所定時間運転する。【選択図】  図１０
2004201936.tif 000002
【特許請求の範囲】
【請求項１】
入浴者の身体の少なくとも一部を内部に収容する入浴用筐体と、入浴用筐体内に湯水を噴出するシャワー手段と、シャワー手段から噴出させる湯水に消毒液を混入させる消毒液混入手段と、シャワー手段及び混入手段を制御する制御部とを備え、シャワー手段から湯水のみを噴出する通常モードと、湯水に消毒液を混入させてシャワー手段から噴出する消毒モードとで運転可能なシャワー入浴装置であって、制御部の制御により、消毒モードでの運転終了後には必ず連続して通常モードで所定時間運転することを特徴とするシャワー入浴装置。
【請求項２】
上記制御部は電力が供給されて可動するものであり、上記消毒モードで運転中に制御部への電力供給が遮断されて運転が停止し、その後制御部への電力供給が再開された場合、制御部の制御により通常モードで所定時間運転することを特徴とする請求項１に記載のシャワー入浴装置。
【請求項３】
上記制御部は電力が供給されて可動するものであり、上記消毒モードでの運転終了後の通常モードでの運転中に制御部への電力供給が遮断されて運転が停止し、その後制御部への電力供給が再開された場合、制御部の制御により通常モードで所定時間運転することを特徴とする請求項１に記載のシャワー入浴装置。
【請求項４】
上記制御部は、消毒モードでの運転が開始されるとその旨の開始情報が記憶されその運転が終了すると上記開始情報が消去される不揮発性の記憶デバイスを備え、制御部への電力供給が開始された場合には記憶デバイスに上記開始情報が記憶されているか否かを判断し、記憶されている場合には通常モードで所定時間運転し、記憶デバイスに記憶されている開始情報を消去することを特徴とする請求項２または請求項３に記載のシャワー入浴装置。
【発明の詳細な説明】
【０００１】
【発明の属する技術分野】
本発明は、シャワー入浴装置に関し、特に、高齢者や身体障害者等の要介護者のシャワー入浴に好適なシャワー入浴装置に関する。
【０００２】
【従来の技術】
従来、シャワー入浴装置として、入浴者の身体を内部に収容する入浴用筐体と、入浴用筐体内に湯水を噴出するシャワー手段と、シャワー手段から噴出させる湯水に消毒液を混入させる消毒液混入手段と、シャワー手段及び混入手段を制御する制御部とを備え、シャワー手段から湯水のみを噴出する通常モードと、湯水に消毒液を混入させてシャワー手段から噴出する消毒モードとで運転可能なものが知られている（例えば、特許文献１参照。）。
【０００３】
【特許文献１】
特開平６−２３００９号公報
【０００４】
【発明が解決しようとする課題】
しかし、この従来のシャワー入浴装置では、消毒モードで運転すると、シャワー手段の配管内やノズル等に消毒液が残留してしまう。そのため、その後に入浴用筐体内部に入浴者の身体を収容して通常モードで運転し入浴させる場合に、消毒液が混入した湯水が噴出してしまい、入浴者に消毒液がかかってしまうといった問題がある。
【０００５】
そこで本発明は、上記の問題点に鑑み、消毒モードで入浴用筐体内を消毒した後に入浴者を収容して入浴させる場合であっても、入浴者に消毒液がかかることのないシャワー入浴装置を提供することを課題とする。
【０００６】
【課題を解決するための手段】
上記課題を解決するために本発明は、入浴者の身体の少なくとも一部を内部に収容する入浴用筐体と、入浴用筐体内に湯水を噴出するシャワー手段と、シャワー手段から噴出させる湯水に消毒液を混入させる消毒液混入手段と、シャワー手段及び混入手段を制御する制御部とを備え、シャワー手段から湯水のみを噴出する通常モードと、湯水に消毒液を混入させてシャワー手段から噴出する消毒モードとで運転可能なシャワー入浴装置であって、制御部の制御により、消毒モードでの運転終了後には必ず連続して通常モードで所定時間運転することを特徴とする。
【０００７】
これによれば、消毒モードでの運転終了後の通常モードの運転により、シャワー手段の配管内やノズル等に残留している消毒液が流し出されるので、その後に入浴者を収容して入浴させる場合に、入浴者に消毒液がかかることがない。
【０００８】
また、上記制御部は電力が供給されて可動するものであり、上記消毒モードで運転中に制御部への電力供給が遮断されて運転が停止し、その後制御部への電力供給が再開された場合、制御部の制御により通常モードで所定時間運転するようにすると、消毒モードの運転中に不慮の停電や操作者の誤操作等で制御部への電力供給が遮断された場合であっても、運転再開時の通常モードの運転により、シャワー手段の配管内やノズル等に残留している消毒液が流し出されるので、その後に入浴者を収容して入浴させる場合に、入浴者に消毒液がかかることがない。
【０００９】
また、上記制御部は電力が供給されて可動するものであり、上記消毒モードでの運転終了後の通常モードでの運転中に制御部への電力供給が遮断されて運転が停止し、その後制御部への電力供給が再開された場合、制御部の制御により通常モードで所定時間運転するのが好ましい。
【００１０】
これらの場合、上記制御部は、消毒モードでの運転が開始されるとその旨の開始情報が記憶されその運転が終了すると上記開始情報が消去される不揮発性の記憶デバイスを備え、制御部への電力供給が開始された場合には記憶デバイスに上記開始情報が記憶されているか否かを判断し、記憶されている場合には通常モードで所定時間運転し、記憶デバイスに記憶されている開始情報を消去するようにすると良い。
【００１１】
【発明の実施の形態】
以下、本発明の実施の形態について図１ないし図１０を参照して説明する。
【００１２】
図１は本発明に係るシャワー入浴装置を適用した一実施形態を示したもので、本実施形態のシャワー入浴装置１は、入浴者Ａの身体の首から下の部分を内部に収容する、繊維強化プラスチック製の入浴用筐体２を備えている。この入浴用筐体２は、入浴者Ａの身体をストレッチャー３上に載上した状態で収容できるように水平方向に細長く形成されており、その長手方向（以下、前後方向と記す）に垂直かつ水平な方向（以下、左右方向と記す）の断面が筒状となるように形成されている。
【００１３】
ストレッチャー３は、図２（ａ）、（ｂ）に示すように、走行車輪３１ａを有する台車部３１と、その台車部３１の後端側に立設された上下方向に伸びる支持部３２と、その支持部３２によって後端側が支持されて台車部３１上に位置する担架部３３とで構成されている。支持部３２は、ＤＣモータを駆動源とする上下機構を備えており、担架部３３の上下方向の高さを調整できる。担架部３３は、人間の身体をちょうど囲む程度の長方形状の金属製の枠体３３ａと、該枠体３３ａに架設されたシート３３ｂとを有している。このシート３３ｂには、メッシュ構造等の湯水が通過可能な構造のものが採用されている。また、担架部３３の後端側には、入浴補助者Ｂが把握してストレッチャーを移動させるための左右一対のハンドル３４が取り付けられている。
【００１４】
入浴用筐体２の後側の側面部には、図３に示すように、入浴者Ａを搬入及び搬出するための搬入・搬出用開口２１が形成されている。この搬入・搬出用開口２１は、ストレッチャー３の担架部３３ごと入浴者Ａを収容できる大きさに設計されている。また、搬入・搬出用開口２１は、カーテン２２によって仕切られている。具体的には、搬入・搬出用開口２１の上縁部内側に沿って、左右方向に２つに分割されたカーテン２２の上端が固定されており、カーテン２２がのれん状に垂れ下がっている。
【００１５】
入浴用筐体２の左右両側の側面部には、それぞれ洗浄作業用開口２３、２３が形成されている。この洗浄作業用開口２３は、入浴補助者Ｂがその上半身を入れることができる大きさに設計されている。また、洗浄作業用開口２３は、カーテン２４によって開閉可能とされている。具体的には、入浴用筐体２内には、洗浄作業用開口２３、２３の上縁部及び下縁部に沿って、それぞれ水平方向に伸びる上下一対のカーテンレール２４ａ、２４ｂが固定されており、上カーテンレール２４ａにカーテン２４の上端部が前後方向にスライド可能に連結され、また下カーテンレール２４ｂにカーテン２４の下端部が前後方向にスライド可能に連結されている。また、カーテン２４は、前後方向に２つに分割されている。
【００１６】
入浴用筐体２の底面は、３本の支持脚４ａ、４ｂ、４ｃによって、上記洗浄作業用開口２３に上半身を入れた洗浄作業姿勢の入浴補助者Ｂの脚と干渉しない高さに支持されている。そして、これら支持脚４ａ、４ｂ、４ｃは、入浴補助者Ｂが洗浄作業用開口２３を介して洗浄作業用開口２３の幅方向のどの位置で洗浄作業を行っても、入浴補助者Ｂの脚と干渉しない位置に形成されている。
【００１７】
入浴用筐体２内には、図４〜図６に示すように、湯水を噴射するためのシャワー、具体的には、洗浄作業用開口２３よりも高い位置に配置される上部シャワー５と、洗浄作業用開口２３よりも低い位置に配置される下部シャワー６とが設けられている。
【００１８】
上部シャワー５は、入浴用筐体２内部上面の左右両側の、筐体２内に収容された入浴者の横臥方向に沿う２本のラインＬ１、Ｌ１上に配置されているシャワーノズル７ａ、７ｂで構成されている。また、下部シャワー６は、入浴用筐体２内部下面の中央の、筐体２内に収容された入浴者の横臥方向に沿う１本のラインＬ２上に配置されているシャワーノズル７ａ、７ｂで構成されている。
【００１９】
具体的には、上部シャワー５のそれぞれのラインＬ１上には、６つのシャワーノズル７ａ、７ｂが配置されており、噴射角が５５度（図４、図６においてＪａ）のシャワーノズル７ａと、噴射角が１２０度（図４、図６においてＪａ）のシャワーノズル７ｂとが、搬入・搬出用開口２１側から交互に３つずつ配置されている。また、下部シャワー６のラインＬ２上には４つのシャワーノズル７ａ、７ｂが配置されており、搬入・搬出用開口２１側から噴射角が５５度のシャワーノズル７ａが３つ連続で配置され、その前側に噴射角が１２０度のシャワーノズル７ｂが１つ配置されている。
【００２０】
これら、シャワーノズル７ａとシャワーノズル７ｂは、ミスト状のシャワーを噴射するものであり、このように配置することにより、そのシャワー噴射範囲によって、入浴用筐体内に収容された入浴者の身体の可動空間全体をカバーする。
【００２１】
入浴用筐体２外面の洗浄作業用開口２３の後側には、ハンドシャワー８が設けられており、このハンドシャワー８によって入浴者Ａの洗髪や身体の洗浄を行う。
【００２２】
入浴用筐体２の底面部には、排水溝２５が形成されている。この排水溝２５は、底面部の左右方向中間位置において前後方向に細長く伸ぴており、その前端部は、入浴用筐体２の下面に設けた外部への排出口２６（図１参照）に連なっている。この排出口２６は外部配管への接続部となる。入浴用筐体２の底面部は、その左右方向について、排水溝２５が形成されている中間位置が左右方向両側よりも低くなるように傾斜が設けられていると共に、その前後方向について、前方が後方よりも低くなるように傾斜が設けられている。これにより、入浴用筐体２内に供給された湯水や入浴者Ａの排出物は、排水溝２５に集められ、排水溝２５を通って排出口２６に至り、入浴用筐体２の外部へ排出される。上記下部シャワー６はこの排水溝２５内に設けられる。
【００２３】
入浴用筐体２の外部には、供給管Ｐ１、Ｐ２を介してそれぞれ上部シャワー５及び下部シャワー６とハンドシャワー８とに湯水を供給すると共にその供給状態を制御する給湯制御装置９が設置されている（図１参照）。この給湯制御装置９は、図７に示すように、水道Ｃ及び給湯器Ｈと接続されており、この水道Ｃ及び給湯器Ｈとから給湯制御装置９に対してそれぞれ水と湯とが供給される。給湯制御装置９に供給された水は、開閉電磁弁９０ａを通過した後、給湯制御装置９内の減圧装置９１ａで減圧され、２つの給湯路９２ａ、９２ｂに分岐されて送出される。同様に、給湯制御装置９に供給された湯は、開閉電磁弁９０ｂを通過した後、給湯制御装置９内の減圧装置９１ｂで減圧され、２つの給湯路９３ａ、９３ｂに分岐されて送出される。
【００２４】
分岐した一方の給湯路９２ａに送出された水と、分岐した一方の給湯路９３ａに送出された湯とは、ハンドシャワー用混合弁９４ａによって混合され、給湯制御装置９に設けられたハンドシャワー８に供給される。また、分岐した他方の給湯路９２ｂに送出された水と、分岐した他方の給湯路９３ｂに送出された湯とは、本体シャワー用混合弁９４ｂによって混合され、上記入浴用筐体２内に設けられた上部シャワー５及び下部シャワー６に供給される。
【００２５】
本体用シャワー混合弁９４ｂの下流側の給湯路は３つの給湯路９６ａ、９６ｂ、９６ｃに分岐し、そのうちの２つの給湯路９６ａ、９６ｂは上部シャワー５及び下部シャワー６に接続されている。また、残りの１つの給湯路９６ｃは排水口Ｄに接続されている。これら給湯路９６ａ、９６ｂ、９６ｃには、それぞれ給湯路を開閉する開閉電磁弁９７ａ、９７ｂ、９７ｃ（シャワー手段）がそれぞれ設けられている。また、ハンドシャワー混合弁９４ａの下流側の給湯路には、該給湯路を開閉する開閉電磁弁９７ｄ（シャワー手段）が設けられている。
【００２６】
ハンドシャワー用混合弁９４ａからハンドシャワー８までの給湯路には、給湯路内の湯水の温度を検知する２つの温度検知器ＴＳ１、ＴＳ２が設けられており、この温度検知結果は給湯制御装置９内に設けられた制御部１０に送信される。同様に、本体シャワー用混合弁９４ｂから上部シャワー５及び下部シャワー６までの給湯路には、給湯路内の湯水の温度を検知して制御部１０に送信する２つの温度検知器ＴＳ３、ＴＳ４が設けられており、温度検知結果が制御部１０に送信される。なお、この制御部１０には、商用電源からの電力が供給されており、この電力によって、開閉電磁弁９０ａ、９０ｂ、ハンドシャワー用混合弁９４ａ及び本体シャワー用混合弁９４ｂ、開閉電磁弁９７ａ、９７ｂ、９７ｃ、９７ｄ、後述するチューブポンプＴＰ１、ＴＰ２、ＴＰ３等が制御される。また、後述する遠隔操作装置１１の電源ボタン１１１ａの操作によって電源がオフになっていても制御部１０に待機電力が供給される。
【００２７】
本体シャワー用混合弁９４ｂから上部シャワー５及び下部シャワー６までの給湯路には、上記温度検知器ＴＳよりも上流側に、給湯路内の湯水の圧力を検知して制御部１０に送信する圧力検知器ＰＳが設けられている。この圧力検知器ＰＳによる所定圧力値未満の圧力検知結果が送信された場合、それを受信した制御部１０は上記開閉電磁弁９７ａ、９７ｂを制御してハンドシャワー８に接続された給湯路９６ａ、９６ｂを閉じると共に、上記開閉電磁弁９７ｃを制御して排水口Ｄに接続された給湯路９６ｃを開き、湯水を排水口Ｄから給湯制御装置９外に排出するようになっている。
【００２８】
本体シャワー用混合弁９４ｂから上部シャワー５及び下部シャワー６までの給湯路には、上記温度検知器ＴＳよりも下流側で、かつ上記３つの給湯路９６ａ、９６ｂ、９６ｃの分岐位置よりも上流側に、２本の吸引ホース９８ａ、９８ｂが接続されている。これら２本の吸引ホース９８ａ、９８ｂの先端は、それぞれ給湯制御装置９の外部に配置されたボディシャンプーが収容されたシャンプータンクＴ１及び消毒液が収容された消毒液タンクＴ２に挿入される。２本の吸引ホース９８ａ、９８ｂは、それぞれチューブポンプＴＰ１、チューブポンプＴＰ２（消毒液混入手段）を備えており、これにより、シャンプータンクＴ１内のボディシャンプー及び消毒液タンクＴ２内の消毒液を本体シャワー用混合弁９４ｂから上部シャワー５及び下部シャワー６までの給湯路に供給することができる。この２つのチューブポンプＴＰ１、ＴＰ２は制御部１０によって制御される。同様に、ハンドシャワー用混合弁９４ａからハンドシャワー８までの給湯路には、上記温度検知器ＴＳよりも下流側で、かつ上記開閉電磁弁９７ｄよりも上流側に、吸引ホース９８ｃが接続されており、この吸引ホース９８ｃの先端は消毒液タンクＴ２に挿入されている。この吸引ホース９８ｃは制御部１０によって制御されるチューブポンプＴＰ３（消毒液混入手段）を備えており、これにより、消毒液タンクＴ２内の消毒液をハンドシャワー用混合弁９４ａからハンドシャワー８までの給湯路に供給することができる。
【００２９】
給湯制御装置９には、この給湯制御装置９による湯水の供給状態の制御を遠隔操作可能な遠隔操作装置１１が設けられている。この遠隔操作装置１１を入浴補助者Ｂ等の操作者が操作すると、その操作に応じた操作信号が遠隔操作装置１１から給湯制御装置９の制御部１０に送信される。
【００３０】
遠隔操作装置１１は、図８に示すように、操作者が押圧することでオン・オフの切り替えや設定温度の上下を行うボタン類と、ＬＥＤ（発光ダイオード）の点灯により給湯制御装置９の作動状態を表示するＬＥＤ表示部類と、７セグメント表示で湯温等を表示する７セグ表示部類とで構成される。
【００３１】
遠隔操作装置１１のボタン類は、電源のオン・オフを切り替える電源ボタン１１１ａと、上部シャワー５及び下部シャワー６からの湯水の出湯のオン・オフを切り替えるシャワー装置出湯ボタン１１１ｂと、そのシャワー装置出湯ボタン１１１ｂの左側に設けられて上部シャワー５及び下部シャワー６から出湯する湯水の設定温度を１度高くするシャワー装置湯温プラスボタン１１１ｃ及び１度低くするシャワー装置湯温マイナスボタン１１１ｄと、ハンドシャワー８からの湯水の出湯のオン・オフを切り替えるハンドシャワー出湯ボタン１１１ｅと、そのハンドシャワー出湯ボタン１１１ｅの左側に設けられてハンドシャワー８から出湯する湯水の設定温度を１度高くするハンドシャワー湯温プラスボタン１１１ｆ及び１度低くするハンドシャワー湯温マイナスボタン１１１ｇと、ボディシャンプーを本体シャワー５からの湯水に混入させるシャンプーボタン１１１ｈと、消毒液を本体シャワー５からの湯水に混入させるシャワー装置消毒液ボタン１１１ｉと、入浴者Ａを入浴用筐体２内に収容する前に筐体２内を予め暖める目的で所定時間上部シャワー５及び下部シャワー６から湯水を噴射する暖気運転ボタン１１１ｊと、消毒液をハンドシャワー８からの湯水に混入させるハンドシャワー消毒液ボタン１１１ｋとで構成されている。これらボタン類を操作者が押圧すると、そのボタン操作に対応する操作信号が給湯制御装置９の制御部１０に送信され、制御部１０はその操作信号に応じて、上記開閉電磁弁９０ａ、９０ｂ、ハンドシャワー用混合弁９４ａ及び本体シャワー用混合弁９４ｂ、開閉電磁弁９７ａ、９７ｂ、９７ｃ、９７ｄ、チューブポンプＴＰ１、ＴＰ２、ＴＰ３等を制御する。なお、シャワー装置消毒液ボタン１１１ｉ及びハンドシャワー消毒液ボタン１１１ｋは、３秒間押圧しないと制御部１０による制御が行われない。
【００３２】
また、遠隔操作装置１１のＬＥＤ表示部類は、電源ボタン１１１ａの範囲内に設けられて電源がオン状態であることを示す電源表示ＬＥＤ１１２ａと、給湯路内の湯水の状態がそれぞれ準備中（適温でない）、適温、水圧不足であることを示す３つの湯水状態表示ＬＥＤ１１２ｂ、１１２ｃ、１１２ｄと、上記シャワー装置出湯ボタン１１１ｂの右側に設けられて上部シャワー５及び下部シャワー６が出湯状態であることを示すシャワー装置出湯表示ＬＥＤ１１２ｅと、上記ハンドシャワー出湯ボタン１１１ｅの右側に設けられてハンドシャワー８が出湯状態であることを示すハンドシャワー出湯表示ＬＥＤ１１２ｆと、上記シャンプーボタン１１１ｈの左上及び右上に設けられてそれぞれ上部シャワー５及び下部シャワー６の湯水にボディシャンプーが混入されていること及びシャンプータンクＴ１内のボディシャンプーの残量が少ないことを示すシャンプー状態表示ＬＥＤ１１２ｇ1、１１２ｇ2と、上記シャワー装置消毒液ボタン１１１ｉの左上及び右上に設けられてそれぞれシャワー装置の湯水に消毒液が混入されていること及び消毒液タンクＴ２内の消毒液の残量が少ないことを示すシャワー装置消毒液状態表示ＬＥＤ１１２ｈ1、１１２ｈ2と、上記暖気運転ボタン１１１ｊの左上に設けられて暖機運転のためのシャワー噴射が行われていることを示す暖機運転状態表示ＬＥＤ１１２ｉと、上記ハンドシャワー消毒液ボタン１１１ｋの左上及び右上に設けられてそれぞれハンドシャワー８の湯水に消毒液が混入されていること及び消毒液タンクＴ２内の消毒液の残量が少ないことを示すハンドシャワー消毒液状態表示ＬＥＤ１１２ｊ1、１１２ｊ2とで構成されている。なお、上記各ボタン１１１ｈ、１１１ｉ、１１１ｊ、１１１ｋの左上のＬＥＤ１１２ｇ1、１１２ｈ1、１１２ｉ、１１２ｊ1には緑色ＬＥＤを使用し、右上のＬＥＤ１１２ｇ2、１１２ｈ2、１１２ｊ2には赤色ＬＥＤを使用している。これらＬＥＤ表示部類１１２は、給湯制御装置９の制御部１０によってその点灯が制御される。
【００３３】
また、遠隔操作装置１１の７セグ表示部類は、上部シャワー５及び下部シャワー６から実際に出湯している湯の温度等を７セグメントで表示するシャワー装置湯温表示部１１３ａと、上記ハンドシャワー８から実際に出湯している湯の温度等を７セグメントで表示するハンドシャワー湯温表示部１１３ｂとで構成されている。シャワー装置湯温表示部１１３ａには、通常時、上記温度検知器ＴＳ３の検知温度が表示される。ただし、２つの温度検知器ＴＳ３、ＴＳ４によって検知される２つの温度の差が所定値以上の場合には、制御部１０は少なくとも１つの温度検知器が故障していると判断し、エラー表示を行う。また、上記シャワー装置湯温プラスボタン１１１ｃ及びシャワー湯温マイナスボタン１１１ｄが押圧された場合には、上部シャワー５及び下部シャワー６の湯水の設定温度が１０秒間表示される。これと同様に、ハンドシャワー湯温表示部１１３ｂには、通常時、上記温度検知器ＴＳ１の検知温度が表示される。ただし、２つの温度検知器ＴＳ１、ＴＳ２によって検知される２つの温度の差が所定値以上の場合には、制御部１０は少なくとも１つの温度検知器が故障していると判断し、エラー表示を行う。また、上記ハンドシャワー湯温プラスボタン１１１ｆ及びハンドシャワー湯温マイナスボタン１１１ｇが押圧された場合には、ハンドシャワー８の湯水の設定温度が１０秒間表示される。
【００３４】
これら遠隔操作装置１１を構成するボタン類、ＬＥＤ表示部類及び７セグ表示部類と上記制御部１０による制御の関係を以下に説明する。
【００３５】
電源オフの状態で電源ボタン１１１ａが押圧されると、これに対応する操作信号を受信した制御部１０は、商用電源からの電源の各部への供給をオン状態に切り替え、上記電源表示ＬＥＤ１１２ａを点灯制御して上記開閉電磁弁９０ａ、９０ｂを開状態に制御すると共に、上記シャワー装置湯温表示部１１３ａ及びハンドシャワー湯温表示部１１３ｂに温度表示させる。また、電源オンの状態で電源ボタン１１１ａが押圧されると、これに対応する操作信号を受信した制御部１０は、上記開閉電磁弁９０ａ、９０ｂを閉状態に制御して上記電源表示ＬＥＤ１１２ａを消灯制御すると共に、商用電源からの電源の各部への供給をオフ状態に切り替える。
【００３６】
また、上部シャワー５及び下部シャワー６からの湯水の出湯がオフ状態のときにシャワー装置出湯ボタン１１１ｂが押圧されると、これに対応する操作信号を受信した制御部１０は、温度検知器ＴＳ３、ＴＳ４の温度検知結果が上記シャワー装置湯温プラスボタン１１１ｃ及びシャワー装置湯温マイナスボタン１１１ｄで設定された設定温度になっており、且つ上記圧力検知器ＰＳの圧力検知結果が所定圧力値以上の場合には、上記シャワー装置出湯表示ＬＥＤ１１２ｅを点灯制御し、上記開閉電磁弁９７ａ、９７ｂを開状態に制御し（開閉電磁弁９７ｃは初期状態の閉状態のまま）、上部シャワー５及び下部シャワー６に湯水を供給する。このとき、同時に上記湯水状態表示ＬＥＤ１１２ｃが点灯制御されて湯水が適温であることが報知される。温度検知器ＴＳ３、ＴＳ４の温度検知結果が上記シャワー装置湯温プラスボタン１１１ｃ及びシャワー装置湯温マイナスボタン１１１ｄで設定された設定温度になっていない場合には、制御部１０は、開閉電磁弁９７ｃを開状態に制御し（開閉電磁弁９７ａ、９７ｂは初期状態の閉状態のまま）、湯水を排水口Ｄから入浴用筐体２外に排出すると共に、上記湯水状態表示ＬＥＤ１１２ｂを点灯制御し、湯水の準備中であることを報知する。圧力検知器ＰＳの圧力検知結果が所定圧力値未満の場合には、制御部１０は、開閉電磁弁９７ｃを開状態に制御し（開閉電磁弁９７ａ、９７ｂは初期状態の閉状態のまま）、湯水を排水口Ｄから入浴用筐体２外に排出すると共に、上記湯水状態表示ＬＥＤ１１２ｄを点灯制御し、湯水が水圧不足であることを報知する。また、上部シャワー５及び下部シャワー６からの湯水の出湯がオン状態のときにシャワー装置出湯ボタン１１１ｂが押圧されると、これに対応する操作信号を受信した制御部１０は、上記シャワー装置出湯表示ＬＥＤ１１２ｅを消灯制御し、上記開閉電磁弁９７ａ、９７ｂ、９７ｃを閉状態に制御して上部シャワー５及び下部シャワー６に対する湯水の供給を停止する。また、シャワー装置湯温プラスボタン１１１ｃまたはシャワー装置湯温マイナスボタン１１１ｄが押圧されると、これに対応する操作信号を受信した制御部１０は、制御部１０の有するＥＥＰＲＯＭ（Electrionically Erasable and Programmable Read Only Memory）の所定領域に記憶されているシャワー装置５の設定温度をそれぞれ１度高く及び１度低く書き換えると共に、その書き換えた設定温度をシャワー装置湯温表示部１１３ａに１０秒間表示させる。なお、上記ＥＥＰＲＯＭはバックアップ電源を備えている。
【００３７】
また、ハンドシャワー８からの湯水の出湯がオフ状態のときにハンドシャワー出湯ボタン１１１ｅが押圧されると、これに対応する操作信号を受信した制御部１０は、温度検知器ＴＳ１、ＴＳ２の温度検知結果が上記シャワー装置湯温プラスボタン１１１ｆ及びシャワー装置湯温マイナスボタン１１１ｇで設定された設定温度になっている場合には、上記ハンドシャワー出湯表示ＬＥＤ１１２ｆを点灯制御すると共に、所定時間だけ上記開閉電磁弁９７ｄを開状態に制御してハンドシャワー８に湯水を供給する。温度検知器ＴＳ３、ＴＳ４の温度検知結果が上記シャワー装置湯温プラスボタン１１１ｃ及びシャワー装置湯温マイナスボタン１１１ｄで設定された設定温度になっていない場合には、制御部１０は、開閉電磁弁９７ｃを閉状態に制御する。また、ハンドシャワー８からの湯水の出湯がオン状態のときにハンドシャワー出湯ボタン１１１ｅが押圧されると、これに対応する操作信号を受信した制御部１０は、上記ハンドシャワー出湯表示ＬＥＤ１１２ｆを消灯制御し、上記開閉電磁弁９７ｄを閉状態に制御してハンドシャワー８に対する湯水の供給を停止する。また、ハンドシャワー湯温プラスボタン１１１ｆ及びハンドシャワー湯温マイナスボタン１１１ｇが押圧されると、これに対応する操作信号を受信した制御部１０は、制御部１０の有するＥＥＰＲＯＭの所定領域に記憶されているハンドシャワー８の設定温度をそれぞれ１度高く及び１度低く書き換えると共に、その書き換えた設定温度をハンドシャワー湯温表示部１１３ｂに１０秒間表示させる。
【００３８】
また、上部シャワー５及び下部シャワー６からの湯水の出湯がオフ状態のときにシャンプーボタン１１１ｈが押圧されると、これに対応する操作信号を受信した制御部１０は、温度検知器ＴＳ３、ＴＳ４の温度検知結果が上記シャワー装置湯温プラスボタン１１１ｃ及びシャワー装置湯温マイナスボタン１１１ｄで設定された設定温度になっており、且つ上記圧力検知器ＰＳの圧力検知結果が所定圧力値以上の場合には、上記シャンプー状態表示ＬＥＤ１１２ｇ1を点灯制御し、上記開閉電磁弁９７ａ、９７ｂを５分間だけ開状態に制御し（開閉電磁弁９７ｃは初期状態の閉状態のまま）、上部シャワー５及び下部シャワー６に湯水を供給すると共に、その間チューブポンプＴＰ１を作動させ、シャンプータンクＴ１内のボディシャンプーを本体シャワー用混合弁９４ｂから上部シャワー５及び下部シャワー６までの給湯路に混入させる。このとき、同時に上記湯水状態表示ＬＥＤ１１２ｃが点灯制御されて湯水が適温であることが報知される。そして４分間経過後、チューブポンプＴＰ１の作動を停止させ、さらに1分経過後、シャンプー状態表示ＬＥＤ１１２ｇ1及び湯水状態表示ＬＥＤ１１２ｃを消灯制御し、上記開閉電磁弁９７ａ、９７ｂを閉状態に制御する。温度検知器ＴＳ３、ＴＳ４の温度検知結果が上記シャワー装置湯温プラスボタン１１１ｃ及びシャワー装置湯温マイナスボタン１１１ｄで設定された設定温度になっていない場合には、制御部１０は、開閉電磁弁９７ｃを開状態に制御し（開閉電磁弁９７ａ、９７ｂは初期状態の閉状態のまま）、湯水を排水口Ｄから入浴用筐体２外に排出すると共に、上記湯水状態表示ＬＥＤ１１２ｂを点灯制御し、湯水の準備中であることを報知する。圧力検知器ＰＳの圧力検知結果が所定圧力値未満の場合には、制御部１０は、開閉電磁弁９７ｃを開状態に制御し（開閉電磁弁９７ａ、９７ｂは初期状態の閉状態のまま）、湯水を排水口Ｄから入浴用筐体２外に排出すると共に、上記湯水状態表示ＬＥＤ１１２ｄを点灯制御し、湯水が水圧不足であることを報知する。
【００３９】
また、上部シャワー５及び下部シャワー６からの湯水の出湯がオン状態のときにシャンプーボタン１１１ｈが押圧されると、これに対応する操作信号を受信した制御部１０は、上記シャンプー状態表示ＬＥＤ１１２ｇ1を点灯制御し、４分間だけチューブポンプＴＰ１を作動させ、シャンプータンクＴ１内のボディシャンプーを本体シャワー用混合弁９４ｂから上部シャワー５及び下部シャワー６までの給湯路に混入させる。そして４分間経過後、シャンプー状態表示ＬＥＤ１１２ｇ1を消灯制御し、チューブポンプＴＰ１の作動を停止させる。
【００４０】
また、図９及び図１０のフローチャートに示すように、上部シャワー５及び下部シャワー６からの湯水の出湯がオフ状態のときにシャワー装置消毒液ボタン１１１ｉが３秒間押圧されると（Ｓ３、Ｓ４）、これに対応する操作信号を受信した制御部１０は、ＥＥＰＲＯＭの所定領域に消毒フラグ（開始情報）を立てて記憶させ（Ｓ５）、上記シャワー装置消毒液状態表示ＬＥＤ１１２ｈ1を点灯制御し（Ｓ６）、上記開閉電磁弁９７ａ、９７ｂを開状態に制御し（開閉電磁弁９７ｃは初期状態の閉状態のまま）て上部シャワー５及び下部シャワー６に湯水を供給する（Ｓ７）と共に、チューブポンプＴＰ２を作動させて消毒液タンクＴ２内の消毒液を本体シャワー用混合弁９４ｂから上部シャワー５及び下部シャワー６までの給湯路に混入させる（Ｓ８、消毒モード）。そして３分間経過後（Ｓ１１）、チューブポンプＴＰ２の作動を停止させ（Ｓ１２、通常モード）、さらに１分間経過後（Ｓ１４）、ＥＥＰＲＯＭに記憶された消毒フラグを消去し（Ｓ１５）、シャワー装置消毒液状態表示ＬＥＤ１１２ｈ1を消灯制御し（Ｓ１６）、上記開閉電磁弁９７ａ、９７ｂを閉状態に制御する（Ｓ１７）。そして再度電源ボタン１１１ａが押圧されるまで、処理が繰り返される（Ｓ１８）。
【００４１】
また、チューブポンプＴＰ２の作動中（Ｓ８、Ｓ１１、消毒モード）に再度シャワー装置消毒液ボタン１１１ｉが３秒間押圧された場合には（Ｓ９）、制御部１０は、チューブポンプＴＰ２の作動を停止させ（Ｓ１２、通常モード）、さらに１分間経過後（Ｓ１４）、ＥＥＰＲＯＭに記憶された消毒フラグを消去し（Ｓ１５）、シャワー装置消毒液状態表示ＬＥＤ１１２ｈ1を消灯制御し（Ｓ１６）、上記開閉電磁弁９７ａ、９７ｂを閉状態に制御する（Ｓ１７）。そして再度電源ボタン１１１ａが押圧されるまで、処理が繰り返される（Ｓ１８）。
【００４２】
また、チューブポンプＴＰ２の作動中（Ｓ８、Ｓ１１、消毒モード）に、電源ボタン１１１ａが押される（Ｓ１０）と、チューブポンプＴＰ２が停止し（Ｓ２１）、シャワー装置消毒液状態表示ＬＥＤ１１２ｈ1が消灯し（Ｓ２２）、上記開閉電磁弁９７ａ、９７ｂが閉状態になる（Ｓ２３）。同様に、チューブポンプＴＰ２を停止して（Ｓ１２、通常モード）から１分間経過する前（Ｓ１４）に、電源ボタン１１１ａが押される（Ｓ１３）と、シャワー装置消毒液状態表示ＬＥＤ１１２ｈ1が消灯し（Ｓ２２）、上記開閉電磁弁９７ａ、９７ｂが閉状態になる（Ｓ２３）。つまりＥＥＰＲＯＭに記憶された消毒フラグを消去することなく上部シャワー５及び下部シャワー６への湯水の供給が強制的に停止される。
【００４３】
また、シャワー装置消毒液ボタン１１１ｉが押圧され（Ｓ３）、消毒フラグがオンになった後で、チューブポンプＴＰ２が停止して１分間経過する前（Ｓ５−Ｓ１４）に、停電等で制御部１０への電力が供給されなくなった場合は自動的に上部シャワー５及び下部シャワー６への湯水の供給が停止するが、この場合も消毒フラグはオンの状態で残る。
【００４４】
これらの状態から制御部１０への電力の供給が再開され、電源ボタン１１１ａが押圧される（Ｓ１）と、制御部１０はＥＥＰＲＯＭからデータを読み込み、消毒フラグが記憶されているか否かを判断する（Ｓ２）。消毒フラグが記憶されていない場合には通常の処理に進み（Ｓ３）、記憶されている場合には、シャワー装置消毒液状態表示ＬＥＤ１１２ｈ1を点灯制御し（Ｓ１９）、上記開閉電磁弁９７ａ、９７ｂを開状態に制御し（開閉電磁弁９７ｃは初期状態の閉状態のまま）て上部シャワー５及び下部シャワー６に湯水を供給する（Ｓ２０、通常モード）。そして１分間経過後（Ｓ１４）、ＥＥＰＲＯＭに記憶された消毒フラグを消去し（Ｓ１５）、シャワー装置消毒液状態表示ＬＥＤ１１２ｈ1を消灯制御し（Ｓ１６）、上記開閉電磁弁９７ａ、９７ｂを閉状態に制御する（Ｓ１７）。そして再度電源ボタン１１１ａが押圧されるまで、処理が繰り返される（Ｓ１８）。
【００４５】
なお、上部シャワー５及び下部シャワー６からの湯水の出湯がオン状態のときは、シャワー装置消毒液ボタン１１１ｉを３秒間押圧しても、制御部１０はチューブポンプＴＰ２を作動させさせないようになっている（Ｓ４）。
【００４６】
また、暖気運転ボタン１１１ｊが押圧されると、これに対応する操作信号を受信した制御部１０は、上記暖機運転状態表示ＬＥＤ１１２ｉを点灯制御し、所定時間だけ上記開閉電磁弁９７ａ、９７ｂを開状態に制御し（開閉電磁弁９７ｃは初期状態の閉状態のまま）、上部シャワー５及び下部シャワー６に湯水を供給して筐体２内を暖める。
【００４７】
また、図９及び図１０のフローチャートに示すように、ハンドシャワー８からの湯水の出湯がオフ状態のときにハンドシャワー消毒液ボタン１１１ｋが３秒間押圧されると（Ｓ３、Ｓ４）、これに対応する操作信号を受信した制御部１０は、ＥＥＰＲＯＭの所定領域に消毒フラグを立てて記憶させ（Ｓ５）、上記ハンドシャワー消毒液状態表示ＬＥＤ１１２ｊ1を点灯制御し（Ｓ６）、上記開閉電磁弁９７ｄを開状態に制御してハンドシャワー８に湯水を供給する（Ｓ７）と共に、チューブポンプＴＰ３を作動させて消毒液タンクＴ２内の消毒液をハンドシャワー用混合弁９４ａからハンドシャワー８までの給湯路に混入させる（Ｓ８、消毒モード）。そして３分間経過後（Ｓ１１）、チューブポンプＴＰ３の作動を停止させ（Ｓ１２、通常モード）、さらに１分間経過後（Ｓ１４）、ＥＥＰＲＯＭに記憶された消毒フラグを消去し（Ｓ１５）、ハンドシャワー消毒液状態表示ＬＥＤ１１２ｊ1を消灯制御し（Ｓ１６）、上記開閉電磁弁９７ｄを閉状態に制御する（Ｓ１７）。そして再度電源ボタン１１１ａが押圧されるまで、処理が繰り返される（Ｓ１８）。
【００４８】
また、チューブポンプＴＰ３の作動中（Ｓ８、Ｓ１１、消毒モード）に再度ハンドシャワー消毒液ボタン１１１ｋが３秒間押圧された場合には（Ｓ９）、制御部１０は、チューブポンプＴＰ３の作動を停止させ（Ｓ１２、通常モード）、さらに１分間経過後（Ｓ１４）、ＥＥＰＲＯＭに記憶された消毒フラグを消去し（Ｓ１５）、ハンドシャワー消毒液状態表示ＬＥＤ１１２ｊ1を消灯制御し（Ｓ１６）、上記開閉電磁弁９７ｄを閉状態に制御する（Ｓ１７）。そして再度電源ボタン１１１ａが押圧されるまで、処理が繰り返される（Ｓ１８）。
【００４９】
また、チューブポンプＴＰ３の作動中（Ｓ８、Ｓ１１、消毒モード）に、電源ボタン１１１ａが押される（Ｓ１０）と、チューブポンプＴＰ３が停止し（Ｓ２１）、ハンドシャワー消毒液状態表示ＬＥＤ１１２ｊ1が消灯し（Ｓ２２）、上記開閉電磁弁９７ｄが閉状態になる（Ｓ２３）。同様に、チューブポンプＴＰ３を停止して（Ｓ１２、通常モード）から１分間経過する前（Ｓ１４）に、電源ボタン１１１ａが押される（Ｓ１３）と、ハンドシャワー消毒液状態表示ＬＥＤ１１２ｊ1が消灯し（Ｓ２２）、上記開閉電磁弁９７ｄが閉状態になる（Ｓ２３）。つまりＥＥＰＲＯＭに記憶された消毒フラグを消去することなくハンドシャワー８への湯水の供給が強制的に停止される。
【００５０】
また、ハンドシャワー消毒液ボタン１１１ｋが押圧され（Ｓ３）、消毒フラグがオンになった後で、チューブポンプＴＰ３が停止して１分間経過する前（Ｓ５−Ｓ１４）に、停電等で制御部１０への電力が供給されなくなった場合は自動的にハンドシャワー８への湯水の供給が停止するが、この場合も消毒フラグはオンの状態で残る。
【００５１】
これらの状態から制御部１０への電力の供給が再開され、電源ボタン１１１ａが押圧される（Ｓ１）と、制御部１０はＥＥＰＲＯＭからデータを読み込み、消毒フラグが記憶されているか否かを判断する（Ｓ２）。消毒フラグが記憶されていない場合には通常の処理に進み（Ｓ３）、記憶されている場合には、ハンドシャワー消毒液状態表示ＬＥＤ１１２ｊ1を点灯制御し（Ｓ１９）、上記開閉電磁弁９７ｄを開状態に制御してハンドシャワー８に湯水を供給する（Ｓ２０、通常モード）。そして１分間経過後（Ｓ１４）、ＥＥＰＲＯＭに記憶された消毒フラグを消去し（Ｓ１５）、ハンドシャワー消毒液状態表示ＬＥＤ１１２ｊ1を消灯制御し（Ｓ１６）、上記開閉電磁弁９７ｄを閉状態に制御する（Ｓ１７）。そして再度電源ボタン１１１ａが押圧されるまで、処理が繰り返される（Ｓ１８）。
【００５２】
なお、ハンドシャワー８からの湯水の出湯がオン状態のときは、ハンドシャワー消毒液ボタン１１１ｋを３秒間押圧しても、制御部１０はチューブポンプＴＰ３を作動させさせないようになっている（Ｓ４）。
【００５３】
次に、本実施形態のシャワー入浴装置１で入浴補助者Ｂの補助により入浴者Ａが入浴する手順について説明する。
【００５４】
まず、入浴補助者Ｂは、遠隔操作装置１１の暖機運転ボタン１１１ｊを押し、入浴用筐体２内に設けられた上部シャワー５及び下部シャワー６から入浴用筐体２内に所定の温度の湯水を所定時間噴射して筐体２内を暖める。
【００５５】
この暖気運転の終了後、入浴補助者Ｂは、入浴者Ａをストレッチャー３の担架部３３上に仰向けに寝かせ、ハンドル３４を把握して台車部３１が２本の後支持脚４ｂ、４ｃの間に進入するようにストレッチャー３を移動させる。これにより、ストレッチャー３の担架部３３とその上の入浴者Ａが入浴用筐体２の搬入・搬出用開口２１に収容される。このとき、入浴者Ａの身体の首から下の部分が入浴用筐体２内部に位置すると共に、入浴者Ａの頭部が入浴用筐体２外部に位置し、カーテン２２により、入浴者Ａの首を境にして入浴用筐体２の内部と外部とが仕切られる。
【００５６】
次に、入浴介助者Ｂは、遠隔操作装置１１のシャワー装置出湯ボタン１１１ｂを押す。これにより入浴用筐体２内に設けられた上部シャワー５及び下部シャワー６から、入浴者Ａの身体に対して湯水が噴射される。ここで、上部シャワー５及び下部シャワー６の湯水の設定温度は初期設定が４５度になっているが、入浴補助者Ｂは、入浴者Ａから要望等に応じ、上記シャワー装置湯温プラスボタン１１１ｃ及びシャワー装置湯温マイナスボタン１１１ｄ押して設定温度を調節する。適当な時間が経過したら、入浴補助者Ｂは再度遠隔操作装置１１のシャワー装置出湯ボタン１１１ｂを押す。これにより入浴用筐体２内に設けられた上部シャワー５及び下部シャワー６からの湯水の噴射が停止する。
【００５７】
続いて入浴補助者Ｂは、必要に応じてハンドシャワー８を用いて入浴者Ａの身体の手洗いを行う。入浴補助者Ｂが入浴者Ａの身体を手洗いする場合、入浴補助者Ｂは、２つの洗浄作業用開口２３のうちの一方のカーテン２４を開き、そこに頭から上半身を入れる。そしてその状態で入浴者Ａの身体を手洗いする。
【００５８】
手洗い終了後は、入浴補助者Ｂが洗浄作業用開口２３から上半身を出し、ストレッチャー３のハンドル３４を把握して台車部３１が２本の後支持脚４ｂ、４ｃの間から引き出されるようにストレッチャー３を移動させる。これにより、ストレッチャー３の担架部３３上の入浴者Ａが入浴用筐体２の外部に搬出され、入浴作業が終了する。
【００５９】
なお、本発明は上記実施形態のものに限定されるものではなく、必要に応じて種々変更することが可能である。
【００６０】
【発明の効果】
以上の説明から明らかなように、本発明では、消毒モードでの運転終了後の通常モードの運転により、シャワー手段の配管内やノズル等に残留している消毒液が流し出されるので、その後に入浴者を収容して入浴させる場合に、入浴者に消毒液がかかることがない。
【図面の簡単な説明】
【図１】本発明に係るシャワー入浴装置の一実施形態を示す側面図
【図２】ストレッチャー（担架）の構成を示す上面図（ａ）及び側面図（ｂ）
【図３】入浴用筐体の斜視図
【図４】入浴用筐体の側断面図
【図５】入浴用筐体の上面図
【図６】入浴補助者が入浴者の洗浄作業を行っている状態を示す図４のＶＩ−ＶＩ線断面図
【図７】給湯制御装置の内部構成を示す配管ブロック図
【図８】操作パネルを示す正面図
【図９】消毒液ボタンを押した場合の制御を示すフローチャート
【図１０】消毒液ボタンを押した場合の制御を示すフローチャート
【符号の説明】
２  入浴用筐体
５  シャワー装置
９  給湯制御装置
１０  制御部
【図１】
2004201936.tif 000003
【図２】
2004201936.tif 000004
【図３】
2004201936.tif 000005
【図４】
2004201936.tif 000006
【図５】
2004201936.tif 000007
【図６】
2004201936.tif 000008
【図７】
2004201936.tif 000009
【図８】
2004201936.tif 000010
【図９】
2004201936.tif 000011
【図１０】
2004201936.tif 000012